(57)【要約】【課題】従来用いている逆止弁は、外部から指で押圧するのに大きな力を必要とし、押圧部の位置も明確でないため操作性が悪く、又シール面の面積が十分でないことと、外圧が掛かったときシール面が変形し易いためリークの原因となる。【解決手段】逆止弁はハウジングと弁体より構成され、該弁体は中央に弁が形成され、該弁の外周に切欠部が形成され、該切欠部の外周は外縁部、該弁と該外縁部の一部は連結部で一体に連結され、更に外縁部はハウジングへの嵌め込み、融着或いは接着構造とする。該ハウジングは該弁と密接するシール面を有し、該シール面の中央は通気孔、該シール面の外縁部は弁体を嵌め込み、融着或いは接着する構造とする。該通気孔でつながる該シール面の反対側は円筒形の小部屋で、円筒部にノズルを有し、該通気孔に対向する円筒上面には該通気孔側に突出した押棒を有する。該押棒の外部は波付きの押圧部からなる。【選択図】図１
2006204839.tif 000002
【特許請求の範囲】
【請求項１】
軟質プラスチックシートを２枚重ねにして融着し２つの空気室を形成し、該空気室には各々１個の逆止弁を互いの弁の流通方向が逆向きとなるように取り付け、該逆止弁は１本の連通管で接続され、２つの該空気室には各々給排気弁を設けてなる空気ポンプ式座布団、便座用クッション或いは空気ポンプ式座布団を備えた椅子において、該逆止弁はハウジングと弁体より構成され、該弁体は中央に弁が形成され、該弁の外周に切欠部が形成され、該切欠部の外周は外縁部をなし、該弁と外縁部の一部は連結部で一体に連結され、外縁部はハウジングへの嵌め込み、融着或いは接着構造とし、該ハウジングは該弁と密接するシール面を有し、該シール面の中央部には通気孔を設け、シール面の外縁は該弁体を収容するスペースと該空気室との融着部からなり、該通気孔で繋がる該シール面の反対側は円筒形の小部屋で、円筒部にノズルを設け、円筒部上面には該通気孔側に突出した押棒を有し、該押棒取付部の外部は波付の押圧部より構成されることを特徴とする。
【発明の詳細な説明】
【技術分野】
【０００１】  この発明は２つの軟質プラスチック製空気室を１本の連通管で接続した空気ポンプ式座布団、便座用クッション或いは空気ポンプ式座布団を備えた椅子に関するもので、一方の空気室からもう一方の空気室に空気を送って膨らませ、収縮した空気室側のお尻を体重の圧迫から解放し、これを交互に行うことによって長時間の座り姿勢によるお尻や腰の痺れ、痛み或いは疲れを解消する技術である。
【背景技術】
【０００２】  従来の技術としては実願２００４−００２７５２或いは実願２００４−００４２６４があり図５、図６によって説明する。【０００３】  図５は空気ポンプ式座布団を示し、空気室１には逆止弁３、空気室２には逆止弁４を設け、この間を連通管５で接続する。逆止弁３及び４は流れる方向が互いに逆向きとなるように配列する。更に各々の空気室には給排気弁７及び８を設ける。６は空気室融着部である。又図６は洋式便器の便座用クッションで基本的構造は前述の座布団と同様である。空気室１，２の内外周の融着シール部にタグ９を設けゴムひも１０で固定する。【０００４】  逆止弁３及び４は例えば浮輪の空気吹込み口に使用されている容易に解放可能に構成した周知のものでその構造を図７に示す。フリーの状態では弁１３は閉じているが、弁１３のシール面１６の紙面に垂直方向の押圧部２２を両方向から押圧すると弁１３が下方に開いて空気室側から連通管５側に空気を流すことができる。【０００５】  以下座布団或いは便座クッションの作用について述べる。図５の空気ポンプ式座布団において給排気弁７及び８から空気室１及び２に満杯より少なく空気を吹き込む。空気室１及び２に臀部を合わせて座り、通気管５の両端に設けられた逆止弁３，４のうち例えば任意の逆止弁４を指で圧迫して解放し、左右のお尻で交互に体重を掛けて空気室１及び２を押すことを繰り返すと、逆止弁３のポンプ作用によって空気が連通管５を通って空気室２から空気室１へ移動し、空気室２は収縮して空気室１は更に膨張する。この結果、姿勢を保つ為空気室１側に体重を乗せて座ることになり、空気室２側のお尻は体重の圧迫から解放される。【０００６】  次に空気を空気室１から空気室２へ移動するには、逆止弁３を指で圧迫して解放し、同様の動作を行えば空気室１は収縮して空気室２は膨張する。この結果姿勢を保つ為空気室２側に体重を乗せて座ることになり、空気室１側のお尻は体重の圧迫から解放される。又逆止弁３，４を働かせた状態では空気室１，２間の空気の流通は停止し、座った姿勢を安定化させることができ、更に両方の逆止弁を同時に指で圧迫すると、空気室間の空気は体重の移動に従って移動するので自由に姿勢を変えることができる。
【発明の開示】
【発明が解決しようとする課題】
【０００７】  逆止弁３及び４は図７において円筒部１９の外圧に対する強度を得る為と、シール面１６を大きくするため、弁１３と円筒部１９の肉厚が厚くなっており、収納部１８の外側から指で変形させるには大きな力が必要である。又弁１３を開く位置は押圧部２２に限定されるにも拘らず、その位置は収納部１８の外部から明確に判らないので、押す位置が押圧部２２からずれていれば弁１３が開かないか、僅かしか開かず役に立たない。更に弁１３のシール面１６は小径の円筒面を垂直に半円形に切開して形成されているのでシール面の面積が十分ではなく、且つ弁１３の円筒部に外圧が掛かったとき、シール面１６が変形しリークの原因となる。【０００８】  従って図７に示す浮輪などに使用する周知の逆止弁を使った空気ポンプ式座布団或いは便座は、逆止弁の操作に大きな力を要し、押圧部の操作性が悪く、弁のシール性も悪いため空気室１及び２の間で空気の流通を遮断できず空気ポンプ式座布団或いは便座用クッションとして作用できない。
【課題を解決するための手段】
【０００９】  空気ポンプ式座布団或いは便座用クッションに使用する逆止弁はハウジングと弁体より構成され、該弁体は中央に弁が形成され、該弁の外周に切欠部が形成され、該切欠部の外周は外縁部、該弁と該外縁部の一部は連結部で一体に連結され、更に外縁部はハウジングへの嵌め込み、融着或いは接着構造とする。【００１０】  該ハウジングは該弁と密接するシール面を有し、該シール面の中央は通気孔、該シール面の外縁部は弁体を嵌め込み、融着或いは接着する構造とする。該通気孔でつながる該シール面の反対側は円筒形の小部屋で、円筒部にノズルを有し、該通気孔に対向する円筒上面には該通気孔側に突出した押棒を有する。該押棒の外部は波付の押圧部であり、指で押すことによって波付部が伸びて該押棒が移動し、該弁を強制的に開き空気を逆流させることができる。指を放せば該押棒は元に戻り、逆止弁として空気の流れを停止する。
【発明の効果】
【００１１】  該逆止弁は、該ハウジングのシール面に該弁を密接して組み込む構造であり、シール面を大きくとることができ、更に弁の閉じ側に圧力が掛かったとき、弁がシール面を垂直に押すことからシール性に優れ、逆止弁の操作に大きな力を必要とせず、押圧箇所が明白であるため操作性も良い。したがって前述の該逆止弁を空気ポンプ式座布団或いは便座に使用することにより、空気室間の空気の流通と遮断を確実に行うことができ、【０００５】に述べた空気ポンプ式座布団或いは便座用クッションの作用を確実にすることができる。
【発明を実施するための最良の形態】
【００１２】  以下、本発明の実施例について説明する。図１は空気ポンプ式座布団を示し、お尻と対応する位置に２枚重ねの軟質プラスチックシートを融着し空気室１，２を形成する。空気室１には逆止弁３空気室２には逆止弁４を設け、この間を連通管５で接続する。逆止弁３及び４は流れる方向が互いに逆向きになるように配置する。又空気室１，２には給排気弁７，８を設ける。便座用クッション（図示せず）も同様の方法で製作する。【００１３】  図２は逆止弁の弁体を示し、中央に弁１３、外周に切欠部１４、切欠き部１４の外周は外縁部１５、弁１３と外縁部１５の一部は連結部１６で一体に連結され、更に外縁部１５は図３のハウジング収納部への嵌め込み、融着或いは接着する構造とする。【００１４】  図３は逆止弁のハウジングを示し、収納部１８は弁１３と密接するシール面１６を有し、シール面１６の中央は通気孔１７、シール面１６の外縁部は弁体を嵌め込み、融着或いは接着する構造とする。通気孔１７でつながるシール面１６の反対側は円筒形の小部屋で円筒部１９にノズル２０を有し、通気孔１７に対向する円筒上面には押棒２１を有する。押棒２１の円筒外部は波付の押圧部２２である。【００１５】  図４は逆止弁を示し、図２弁と図３ハウジングを組み立てたものである。弁１３はシール面１６に密接して組立て、融着部２３で空気室と融着し、ノズル２０は連通管５と接続する。押圧部２２を押すと押棒２１が下がり、弁１３を押して空気室からノズル２０に空気を流すことができる。
【図面の簡単な説明】
【図１】本発明の空気ポンプ式座布団である。
【図２】本発明の弁体図である。
【図３】本発明のハウジングである。
【図４】本発明の逆止弁である。
【図５】背景技術の空気ポンプ式座布団である。
【図６】背景技術の便座用クッションである。
【図７】背景技術の逆止弁である。
【符号の説明】
１、２  空気室
３、４  逆止弁
５      連通管
６      空気室融着部
７、８  給排気弁
９      タグ
１０    ゴムひも
１１    便座
１２    便器
１３    弁
１４    切欠部
１５    外縁部
１６    シール面
１７    通気孔
１８    収納部
１９    円筒部
２０    ノズル
２１    押棒
２２    押圧部
２３    融着部
【図１】
2006204839.tif 000003
【図２】
2006204839.tif 000004
【図３】
2006204839.tif 000005
【図４】
2006204839.tif 000006
【図５】
2006204839.tif 000007
【図６】
2006204839.tif 000008
【図７】
2006204839.tif 000009